(57)【特許請求の範囲】
【請求項１】
照明対象としての複数の展示用物品を展示スペース内で照明する照明装置であって、
前記複数の展示用物品が前記展示スペース内で縦横に区分した複数の展示用物品群として配置されるとともに、前記複数の展示用物品群のそれぞれに対応して配置される複数の照明ユニットを備えており、
前記複数の照明ユニットのそれぞれは、前記複数の展示用物品の背面側に配設された光透過性部材からなる背面パネルと、前記展示用物品の配置パターンに応じた配置パターンをもって前記背面パネルの背面側に配設されて物品視認者側に照明光を出射する複数の発光ダイオードランプとを備えたことを特徴とする展示用物品の照明装置。
【請求項２】
前記背面パネルは、前記複数の展示用物品群に対応して配置されたベースに取り付けられ、前記複数の発光ダイオードランプを収容可能な光透過性部材からなる箱体によって形成されていることを特徴とする請求項１に記載の展示用物品の照明装置。
【請求項３】
前記展示用物品は光透過性部材によって形成されている請求項１又は２に記載の展示用物品の照明装置。
【請求項４】
前記発光ダイオードランプは、白色光を発するための少なくとも２種類の発光ダイオード素子を有する発光ダイオードランプである請求項１又は２に記載の展示用物品の照明装置。
【請求項５】
前記発光ダイオードランプは、発光ダイオード素子及び蛍光体により白色光を発する発光ダイオードランプである請求項１又は２に記載の展示用物品の照明装置。
【請求項６】
展示用物品を展示するための内部空間を有し、前記展示用物品に対応する販売用物品を払い出すための物品払出機構を内蔵する販売機本体と、
前記販売機本体内に配設され、前記展示用物品を照明する照明装置とを備えた自動販売機において、
前記照明装置は、請求項１〜５のいずれかに記載の照明装置であることを特徴とする自動販売機。
【請求項７】
前記照明装置からの照明光を受けて物品視認者側に出射する光透過性部材からなる押釦を備えた請求項６に記載の自動販売機。
【請求項８】
前記照明装置からの照明光を受けて物品視認者側に出射する光透過性部材からなる表示部を備えた請求項６又は７に記載の自動販売機。
【発明の詳細な説明】
【技術分野】
【０００１】
本発明は、缶飲料等の展示用物品（商品見本）を照明するために用いて好適な展示用物品の照明装置及びこれを備えた自動販売機に関する。
【背景技術】
【０００２】
例えば、煙草や缶飲料等の物品は、商店の陳列棚等に陳列され、購買者に対して代金と引き換えに販売される。また、これら物品は、自動販売機内に多数個貯蔵され、購買者による代金投入後に１個ずつ販売される。
【０００３】
このような自動販売機は、購買者の目に止まるようにその表面色彩・装飾に工夫が施され、物品を広く宣伝したり、集客性を高めたりすることができるような場所に設置される。
【０００４】
ところで、自動販売機においては、販売用物品のサンプル（合成樹脂製の商品見本）や写真等を展示する展示スペースとしての内部空間が物品視認者（購買者）の視認され易いような位置に配置されている。そして、夜間には照明装置を点灯してサンプル（展示用物品）や写真等を照明し、販売用物品の内容についても購買者等に認識され易いような工夫が施されている。
【０００５】
従来、この種自動販売機の照明装置には、サンプル上側及びサンプル背面側から展示用物品を照明する蛍光ランプからなる照明素子を備えたものが提案されている。
【０００６】
このような展示用物品の照明装置においては、照明素子が点灯すると、この点灯光が展示用物品の表面及びその周辺が照明される。
【０００７】
しかし、従来の照明装置においては、蛍光ランプに内封されている水銀ガスが有害であるため、蛍光ランプが不用となった場合に産業廃棄物としての処理を必要とする。また、蛍光ランプは寿命が短く、ランニングコストが嵩むといった種々の問題を有する。
【０００８】
そこで、上述した不具合を解決するために、照明素子に発光ダイオード（Light Emitting Diode：ＬＥＤ）ランプを用いた照明装置も従来から提案されている(例えば特許文献１)。これは、商品見本の背面側に半透明板を配置するとともに、この半透明板の周囲に複数のＬＥＤ素子を配置したものである。
【０００９】
このような照明装置においては、複数のＬＥＤランプが発光光を発すると、これら発光光が半透明板（背面パネル）に導入され、この半透明板の物品視認者側面から商品見本に出射される。
【特許文献１】特開２００２−３５８５６０号公報
【発明の開示】
【発明が解決しようとする課題】
【００１０】
しかしながら、特許文献１によると、半透明板の周囲にＬＥＤランプが配置されているため、これらＬＥＤランプからの照明光によって展示用物品を的確に照明することができず、物品視認者の視覚に訴える展示効果を得ることができないという問題があった。
【００１１】
従って、本発明の目的は、ＬＥＤランプからの照明光によって展示用物品を的確に照明することができ、もって物品視認者の視覚に訴える展示効果を得ることができる展示用物品の照明装置及びこれを備えた自動販売機を提供することにある。
【課題を解決するための手段】
【００１２】
（１）本発明は、上記目的を達成するために、照明対象としての複数の展示用物品を展示スペース内で照明する照明装置であって、前記複数の展示用物品が前記展示スペース内で縦横に区分した複数の展示用物品群として配置されるとともに、前記複数の展示用物品群のそれぞれに対応して配置される複数の照明ユニットを備えており、前記複数の照明ユニットのそれぞれは、前記複数の展示用物品の背面側に配設された光透過性部材からなる背面パネルと、前記展示用物品の配置パターンに応じた配置パターンをもって前記背面パネルの背面側に配設されて物品視認者側に照明光を出射する複数の発光ダイオードランプとを備えたことを特徴とする展示用物品の照明装置を提供する。
【００１３】
（２）本発明は、上記目的を達成するために、展示用物品を展示するための内部空間を有し、前記展示用物品に対応する販売用物品を払い出すための物品払出機構を内蔵する販売機本体と、前記販売機本体内に配設され、前記展示用物品を照明する照明装置とを備えた自動販売機において、前記照明装置は、上記（１）に記載の照明装置であることを特徴とする自動販売機を提供する。
【発明の効果】
【００１４】
本発明によると、ＬＥＤランプからの照明光によって展示用物品を的確に照明することができ、物品視認者の視覚に訴える展示効果を得ることができる。
【発明を実施するための最良の形態】
【００１５】
[実施の形態]
図１は、本発明の実施の形態に係る展示用物品の照明装置を備えた自動販売機の全体を示す正面図である。図２は、本発明の実施の形態に係る展示用物品の照明装置を備えた自動販売機の全体を示すブロック図である。図３は、本発明の実施の形態に係る展示用物品の照明装置を説明するために示す図である。図３（ａ）は、展示スペースの前面側から見た正面図である。図３（ｂ）は、同じく展示スペースを側面側から見た断面図である。図４は、本発明の実施の形態に係る展示用物品の照明装置における展示スペース全体を示す正面図である。
【００１６】
〔自動販売機の全体構成〕
図１において、符号１で示す自動販売機は、缶飲料の販売用物品を販売するための販売機本体２と、販売用物品に対応する照明対象としての複数の展示用物品Ｂを照明する照明装置３（図２及び図３に示す）とから大略構成されている。
【００１７】
複数の展示用物品Ｂは、図４に示すように、複数（８群）の展示用物品群ｂ１，ｂ２，…，ｂ８（実施形態では展示用物品群ｂ１，ｂ２，…，ｂ８がそれぞれ４個の展示用物品からなる）に区分して配置され、後述する背面パネルの物品視認者側に保持されている。そして、図３（ａ）及び（ｂ）に示すように、一方に開口し、販売用物品を示す情報が表面に印刷表示されたプラスチック製の光透過性部材からなる半円筒によって形成されている。なお、展示用物品Ｂとしては、半円筒の表面に印刷表示する代わりに、その印刷表示内容と同一の情報が表示されたシールを貼付したものでもよい。販売用物品（容器）が光透過性部材によって形成されている場合には、展示用物品Ｂとして販売用物品を展示してもよい。また、販売用物品には、缶飲料の他に煙草やカップ麺等が用いられる。
【００１８】
（販売機本体２の構成）
販売機本体２は、図２に示すように、外装体としての筐体４と、この筐体４内（貯蔵部）に貯蔵する販売用物品を代金と引き換えに外部に払い出すための物品払出ユニット（物品払出機構）５と、この物品払出ユニット５及び照明装置３を駆動制御する制御ユニット６とを備えている。
【００１９】
＜筐体４の構成＞
筐体４は、図１に示すように、前方に開口する箱体４Ａ及び箱体４Ａの前方開口部を開閉する扉体４Ｂを有し、全体が略矩形箱によって形成されている。
【００２０】
箱体４Ａ内には、照明装置３及び物品払出ユニット５・制御ユニット６等を収容するための収容空間（図示せず）が形成されている。扉体４Ｂは、箱体４Ａに回動自在に枢支されている。
【００２１】
扉体４Ｂの前面上部には、前面上部カバーとしての光透過性部材からなる前面パネル７（電照板）が配設されている。前面パネル７の前面部には、外部に露出する光透過性部材からなる物品選択用の押釦８が複数の展示用物品Ｂに対応して複数個配設されている。前面パネル７の背面部と筐体４の前面部との間には、展示用物品Ｂを展示するための展示スペース（内部空間）９が形成されている。
【００２２】
扉体４Ｂの前面下部には、購買者が販売用物品の代金としての紙幣・硬貨をそれぞれ挿入・投入するための紙幣挿入口１２・硬貨投入口１３と、釣銭を返却するための釣銭返却口１４と、購買者が販売用物品を取り出すためのフラッパ付きの物品取出口１５（フラッパは図示せず）とが配設されている。また、扉体４Ｂの前面下部には、紙幣挿入口１２・硬貨投入口１３に挿入・投入された紙幣・硬貨を購買者の操作によって返却するための返却レバー１６と、釣銭切れや挿入紙幣・投入硬貨に関する情報を表示するＬＣＤ（Liquid Crystal Display）等の表示器１７と、扉体４Ｂの開動作をロック状態とするためのドアロック１８とが取り付けられている。なお、符号１００は、販売物品等の情報を宣伝するための広告スペースである。
【００２３】
＜物品払出ユニット５の構成＞
物品払出ユニット５は、図２に示すように、販売用物品を貯蔵する物品貯蔵部（図示せず）を有し、箱体４Ａの収容空間に複数個収容され、かつ制御ユニット６に接続されている。そして、紙幣挿入口１２・硬貨投入口１３に対する紙幣・硬貨の挿入・投入による代金と引き換えに販売用物品を払い出すように構成されている。
【００２４】
<制御ユニット６の構成>
制御ユニット６は、図２に示すように、挿入紙幣及び投入硬貨を処理して貨幣処理信号及び釣銭処理信号を発生する貨幣・釣銭処理装置（図示せず）を有し、物品払出ユニット５と同様に箱体４Ａの収容空間に収容されている。
【００２５】
（照明装置３の構成）
照明装置３は、複数の照明ユニット３Ａ，３Ｂ，…，３Ｉ（照明ユニット３Ａのみ図示）からなり、展示スペース９内に配設され、かつ制御ユニット６に接続されている。複数の照明ユニット３Ａ，３Ｂ，…，３Ｉは略同一の構成であるため、一の照明ユニット３Ａのみについて説明すると、照明ユニット３Ａは、図３（ａ）及び（ｂ）に示すように、前面パネル７と平行なベース１９と、このベース１９の物品視認者側面に対向するランプ搭載基板２０と、複数の展示用物品Ｂを展示スペース９内で照明するための複数のＬＥＤランプ２１と、これら複数のＬＥＤランプ２１からの照明光を受けて物品視認側に出射する背面パネル２２とを備えている。
【００２６】
ベース１９は、展示スペース９内の最後方に配置され、背面パネル２２と共に照明ユニット３Ａのカバー部材として機能するように構成されている。
【００２７】
ランプ搭載基板２０は、ベース１４の物品視認者側面にスタット２３を介して取り付けられ、かつ制御ユニット６にコネクタ２４等を介して接続されている。
【００２８】
複数のＬＥＤランプ２１は、それぞれ互いに異なる色光を発する３種類のＬＥＤ素子（実施の形態では赤色ＬＥＤ素子，緑色ＬＥＤ素子及び青色ＬＥＤ素子）を有するＬＥＤランプからなり、背面パネル２２の光出射面２２Ａ内に縦横（例えば６×４＝２４個）方向に並列して配置され、かつランプ搭載基板２０の物品視認者側面に展示用物品Ｂの配置パターンに応じた配置パターンをもって搭載されている。そして、赤色光，緑色光あるいは青色光のいずれかの単色光を、これら２種の単色光を混合してなる組み合わせの色光を、また３種の単色光を混合してなる白色光をそれぞれ発光可能に構成されている。
【００２９】
背面パネル２２は、複数の展示用物品群ｂ１，ｂ２，…ｂ８のうち例えば一の展示用物品群ｂ１に対応してベース１９に取り付けられ、かつ複数の展示用物品Ｂと複数のＬＥＤランプ２１との間に配置され、全体がランプ搭載基板２０及び複数のＬＥＤランプ２１を収容可能な光透過性部材からなる箱体によって形成されている。そして、複数のＬＥＤランプ２１からの照明光を光入射面２２Ｂで受け、これら照明光を光出射面２２Ａから物品視認者側に出射するように構成されている。背面パネル２２の直下方には、販売用物品に関する情報（価格，売り切れ・準備中，温冷等）を表示する表示部２５Ａを有する光透過性部材からなるステージ２５が配設されている。なお、図３（ｂ）において、符号２２Ｃはリード線導入用の切り欠きである。
【００３０】
〔照明装置３の動作〕
各ＬＥＤランプ２１に電源から電圧が印加されると、各ＬＥＤランプ２１から照明光（例えば白色光）が放射される。次に、これら白色光が空気層を介して光入射面２２Ｂに入射し、この光入射面２２Ｂから背面パネル２２内に導入される。この場合、複数のＬＥＤランプ２１から発せられた白色光は、ランプ光軸方向及びランプ光軸方向以外に発せられる光と様々である。また、背面パネル２２に到達して反射される光も存在する。このような光が空気層（背面パネル２２とＬＥＤランプ２１との間）において複雑に混合されることにより、その混合の度合いに応じた強度の白色光が光入射面２２Ｂから背面パネル２２内に導入される。そして、背面パネル２２を透過して光出射面２２Ａから物品視認者側に均一に面状出射される。
【００３１】
[実施の形態の効果]
以上説明した実施の形態によれば、次に示す効果が得られる。
【００３２】
（１）背面パネル２２の光出射面２２Ａ内で複数のＬＥＤランプ２１が配置されているため、ＬＥＤランプ２１からの照明光を背面パネル２２の光出射面２２Ａから出射させて特定の展示用物品Ｂを的確に照明することができ、物品視認者の視覚に訴える展示効果を得ることができる。
【００３３】
（２）複数の展示用物品Ｂは複数の展示用物品群ｂ１，ｂ２，…，ｂ８に区分して配置され、背面パネル２２は複数の展示用物品群ｂ１，ｂ２，…，ｂ８に対応して複数個配置されているため、複数の展示用物品Ｂを複数の展示用物品群ｂ１，ｂ２，…，ｂ８毎に配置変更することができ、展示用物品Ｂにおける配置上の自由度を高めることができる。
【００３４】
（３）複数のＬＥＤランプ２１を点灯・消灯あるいは点滅することにより調光することができ、特定の展示用物品を他の展示用物品より明るくしたり、暗くしたりして強調することができる。
【００３５】
（４）周囲の明るさに、また設定された時間にそれぞれ応じてＬＥＤランプ２１をＯＮ／ＯＦＦし、ランプ光の明るさを変化させることができる。
【００３６】
（５）混色条件を複数の展示用物品群ｂ１，ｂ２，…，ｂ８毎に変化させることができ、時間あるいは季節に応じて所望の色光（例えば、夏は涼色また冬は暖色）で展示用物品Ｂを照明することができる。
【００３７】
（６）ＬＥＤランプ２１によって押釦８及び表示部２５Ａ（ステージ２５）を照明することができるため、押釦８及び表示部２５Ａに専用の照明装置が不要になり、コストの低廉化を図ることができる。この場合、ＬＥＤランプ２１からの照明光を導光部材（図示せず）によって押釦８及び表示部２５Ａに導いてもよい。
【００３８】
以上、本発明の展示用物品の照明装置（自動販売機）を上記の実施の形態に基づいて説明したが、本発明は上記の実施の形態に限定されるものではなく、その要旨を逸脱しない範囲で種々の態様において実施することが可能であり、例えば次に示すような変形も可能である。
【００３９】
（１）各実施の形態では、ＬＥＤランプ２１から照明光として白色光を放射するために、赤色光及び緑色光・青色光をそれぞれ発する３種のＬＥＤ素子を用いる場合について説明したが、本発明はこれに限定されず、青色光を発する青色ＬＥＤ素子及び黄色光を発する黄色ＬＥＤ素子を用いてもよい。また、白色光を得るために、青色光を発するＬＥＤ素子及びこのＬＥＤ素子からの発光光（青色光）を受けて励起されることにより黄色の波長変換光を発するＹＡＧ（Ｙｔｔｒｉｕｍ Ａｌｕｍｉｎｕｍ Ｇａｒｎｅｔ）等の蛍光体層を有するＬＥＤランプであってもよい。また、ＬＥＤ素子から発する発光光（紫色光：波長４００ｎｍ以下）を受けて励起されることにより白色の波長変換光を放射する蛍光体層を有するＬＥＤランプであってもよい。
【００４０】
（２）各実施の形態では、ＬＥＤランプ２１が赤色，緑色及び青色３種のＬＥＤ素子を有するＬＥＤランプである場合について説明したが、本発明はこれに限定されず、単一種のＬＥＤ素子を有するＬＥＤランプであっても勿論よい。この場合、ランプ搭載基板２０には、それぞれが互いに異なる色光を発する少なくとも２種類のＬＥＤランプが搭載されていることが好ましい。これにより、各ＬＥＤランプを任意に組み合わせ点灯して種々の展示効果を得ることができる。
【００４１】
（３）各実施の形態では、展示用物品Ｂがプラスチック製の半円筒によって形成されている場合について説明したが、本発明はこれに限定されず、例えば紙製の半円筒であってもよく、その材質及び形状は展示用物品等に応じて適宜変更することができる。
【図面の簡単な説明】
【００４２】
【図１】本発明の実施の形態に係る展示用物品の照明装置を備えた自動販売機の全体を示す正面図。
【図２】本発明の実施の形態に係る展示用物品の照明装置を備えた自動販売機の全体を示すブロック図。
【図３】（ａ）及び（ｂ）は、本発明の実施の形態に係る展示用物品の照明装置を説明するために示す正面図と断面図。
【図４】本発明の実施の形態に係る展示用物品の照明装置における展示スペース全体を示す正面図。
【符号の説明】
【００４３】
１…自動販売機、２…販売機本体、３…照明装置、３Ａ…照明ユニット、４…筐体、４Ａ…箱体、４Ｂ…扉体、５…物品払出ユニット、６…制御ユニット、７…前面パネル、８…押釦、９…展示スペース、１２…紙幣挿入口、１３…硬貨投入口、１４…釣銭返却口、１５…物品払出口、１６…返却レバー、１７…表示器、１８…ドアロック、１９…ベース、２０…ランプ搭載基板、２１…ＬＥＤランプ、２２…背面パネル、２２Ａ…光出射面、２２Ｂ…光入射面、２２Ｃ…切り欠き、２３…スタット、２４…コネクタ、２５Ａ…表示部、２５…ステージ、１００…広告スペース、Ｂ…展示用物品、ｂ１，ｂ２，ｂ３，ｂ４，ｂ５，ｂ６，ｂ７，ｂ８…展示用物品群
【図１】
0004834355.tif 000002
【図２】
0004834355.tif 000003
【図３】
0004834355.tif 000004
【図４】
0004834355.tif 000005